(57)【要約】【課題】ボディおよびカバーの位置決めを可能にし、ボディおよびレンズの位置決めを可能になし、ボディへのレンズの逆組み防止を可能にする。【解決手段】位置決め手段として、ボディ２Ａの側面部２２外周における開口縁２０側に突設され、開口２ａを介して対向配置される一対の凸部２２１，２２１と、カバー３Ａの開口縁３１に形成され、一対の凸部２２１，２２１側面がそれぞれ填り込む一対の凹部３１ａ，３１ａとを備えた。また、位置決め逆組み防止手段として、ボディ２Ａの側面部２２における開口縁２０から当該ボディ２Ａの底部２１にかけて形成された切欠部２２ｂと、レンズ４Ａの開口縁４０側の内面に形成されて切欠部２２ｂに填り込む突部４０１とを備えた。【選択図】  図１
2004259558.tif 000002
【特許請求の範囲】
【請求項１】
有底筒状のボディと、第１開口およびこれよりも小径の第２開口を有する筒状に形成され、前記第１開口のある第１開口縁が前記ボディの開口縁と嵌合するカバーと、ドーム状に形成され、前記カバー内に填り込んでそのカバーの第２開口から極側が突出するレンズと、このレンズ内後方に配置されるセンサとを備えるとともに、
前記ボディおよび前記カバーに設けられる位置決め手段と、前記ボディおよび前記レンズに設けられる位置決め逆組み防止手段とを備える
ことを特徴とするレンズブロック。
【請求項２】
前記位置決め手段として、前記ボディの側面部外周における当該ボディの開口縁側に突設され、その開口を介して対向配置される一対の凸部と、前記カバーの第１開口縁に形成され、前記一対の凸部側面がそれぞれ填り込む一対の凹部とを備える一方、
前記位置決め逆組み防止手段として、前記ボディの側面部における当該ボディの少なくとも開口縁側に形成された切欠部と、前記レンズの開口縁側に形成されて前記切欠部に填り込む突部とを備える
ことを特徴とする請求項１記載のレンズブロック。
【請求項３】
前記カバーの第１開口縁の内周には、前記ボディの開口縁と嵌合するＬ字状の溝が周設されている一方、
前記ボディの開口縁の端面中央には、前記レンズの開口縁が嵌入するカム溝が周設されている
ことを特徴とする請求項１または２記載のレンズブロック。
【請求項４】
請求項１から３のいずれかに記載のレンズブロックを備えることを特徴とする熱線センサ付自動スイッチ。
【発明の詳細な説明】
【０００１】
【発明の属する技術分野】
本発明は、ボディおよびカバーにより構成されるハウジング内に、ドーム状のレンズとこのレンズ後方に配置されるセンサとを収容するレンズブロックおよびこれを搭載する熱線センサ付自動スイッチに関するものである。
【０００２】
【従来の技術】
図７は従来の熱線センサ付自動スイッチの分解斜視図、図８は同熱線センサ付自動スイッチに搭載される従来のレンズブロックの分解斜視図、図９は同レンズブロックの斜視図、図１０は同レンズブロックの正面図（ａ）、一の側面図（ｂ）および別の側面図（ｃ）、図１１は同レンズブロックの一部切欠き断面図である（例えば特許文献１等参照）。
【０００３】
図７に示す熱線センサ付自動スイッチは、天井に取付け可能にするべく、窓孔１１１ａを間に挟んで両側に一対の保持溝１１１ｂ，１１１ｂを有する円板状のフランジ部１１１と、この上面中央に一体成形され、係合孔が穿設された係合突片１１２ａを４個上縁に一体に立設する筒部１１２とにより成るボディ１１を備えているほか、一対のはさみ金具１２（図７では１つのみ図示）と、プレート１３と、回転式のレンズブロック１と、支持部材１５と、制御系プリント基板１６と、電源系プリント基板１７と、カバー１８と、図略の端子カバーとを備えている。
【０００４】
はさみ金具１２は、一方に開口する縦長箱状に形成されて成り一対の保持溝１１１ｂ，１１１ｂに係合する一対の係合突片１２１ａ，１２１ａを下端に有する支柱１２１と、この上壁および底壁に上下端がそれぞれ挿通されて支柱１２１に回動自在に保持される引締めねじ１２２と、これに螺合する挟み片１２３とにより構成されている。挟み片１２３は、引締めねじ１２２を回すことで、切欠部１２１ｂから移動して支柱１２１の開口面に沿って下降するようになっている。従って、各はさみ金具１２の一対の係合突片１２１ａ，１２１をフランジ部１１１の一対の保持溝１１１ｂ，１１１ｂにそれぞれ係合させて、各はさみ金具１２をボディ１１に着脱自在に取り付け、各はさみ金具１２および筒部１１２を図略の天井ボードに形成された取付孔に挿通し、この後、挟み片１２３を下降させることにより、上記取付孔の周部近傍の天井ボード上下面にそれぞれ挟み片１２３の先端部下面およびフランジ部１１１の上面が当接ないし圧接するので、ボディ１１が天井に取り付けられることになる。
【０００５】
プレート１３は、窓孔１１１ａに対応する丸孔１３ａを中央部に有し、フランジ部１１１に係合して保持され、化粧カバーとして機能するものである。
【０００６】
レンズブロック１は、図７〜図１１に示すように、円柱状に形成され先端突面に正方形状の検出面を有するセンサ５１（例えば焦電体エレメントなどの赤外線検出エレメントによりなる熱線センサ）を内部に収納する熱線センサ格納部であり、ボディ２と、カバー３と、レンズ４と、上記センサ５１等を搭載する検出系プリント基板５とを備えている。
【０００７】
ボディ２は、樹脂により開口２ａが円状となる有底筒状に形成されてなり、当該ボディ２の側面部２２の外周における開口縁２０側に突設されて、その開口２ａを介して対向配置される一対の凸部２２１，２２１を備えている。また、ボディ２の開口縁２０の外周には、カバー３と嵌合するＬ字状の溝２０ａが周設されているほか、ボディ２の底部２１寄りの側面部２２に電線挿通孔２２ａが穿設されている。
【０００８】
カバー３は、樹脂により、開口３ａおよびこれよりも小径の開口３ｂを有し、開口３ａから開口３ｂにかけて径が小さくなるテーパー構造の筒状に形成されてなり、開口３ａのある開口縁３１が上記ボディ２の開口縁２０におけるＬ字状の溝２０ａに嵌合するようになっている。
【０００９】
レンズ４は、透光性（例えば乳白色）の樹脂などによりドーム状に形成され、カバー３内に填り込んでそのカバーの開口３ｂから極側が突出するようになっている。
【００１０】
検出系プリント基板５は、センサ５１および複数本（図１１では６本）のリード線Ｌ１などの電気部品が前面側に実装された実装基板であり、リード線Ｌ１をボディ２の電線挿通孔２２ａに挿通した状態で、ボディ２の内部に収納されてねじ止めされる。
【００１１】
図７に戻って、支持部材１５は、押え金具１５１、この押え金具１５１側に取り付けられるばね１５２および２個のねじ１５４などにより構成され、レンズブロック１をボディ１１に回動自在に固定するためのものである。すなわち、ボディ２の各凸部２２１を窓孔１１１ａの周部に形成された下端側から上方に伸びるガイド溝１１１ｃに挿入し、この後、２個のねじ１５４を用いて、ばね１５２が取り付けられた押え金具１５１をボディ１１にねじ止めすれば、レンズブロック１の上部がばね１５２により弾性的に押接され、レンズブロック１がボディ１１に回動自在に固定されることになる。なお、特許文献１では、押え金具（押さえ板）１５１と、ばね１５２と、これによって押え金具１５１に対して下方に付勢される支持棒と、一対の固定ねじ１５４とにより構成され、Ｏリングがさらに設けられている。
【００１２】
制御系プリント基板１６は、リード線Ｌ１を介して検出系プリント基板５と電気的に接続されている一方、電源系プリント基板１７とも図示しない平行ケーブルなどを介して電気的に接続される。
【００１３】
電源系プリント基板１７は、基板１７１と、これに実装された三対の断面コ字状の端子板１７２と、これら三対の端子板１７２内にそれぞれ保持される三対の鎖錠ばね１７３と、これら各対の鎖錠ばね１７３間に介在する解除釦１７４（図では一部のみ図示）とにより構成されている。
【００１４】
ここで、センサ５１は、種々の制御形態の熱線センサ付自動スイッチに適用可能であり、このような熱線センサ付自動スイッチには、当該センサのほかに、例えば、負荷となる照明器具などの点灯制御をいずれかのモードに切り替えるための切替スイッチ、それら各モードで使用される所定時間設定用のボリュームまたはセレクタスイッチ、商用電源からの交流電圧を整流などして定電圧を得る定電圧回路、および各種制御を行うマイコン（マイクロコンピュータ）などが設けられる。そして、これら各部は、上記検出系プリント基板５、制御系プリント基板１６および電源系プリント基板１７のいずれかに実装される。また、熱線センサ付自動スイッチの種類によっては、照度センサや調光信号制御部などがさらに設けられる場合もある。
【００１５】
カバー１８は、筒部１１２の開口部を閉塞可能な箱状に形成されており、この側壁部には各係合突片１１２ａの係合孔に填り込む係合突部１８１が形成されている一方、上面片側には各組みの鎖錠ばね１７３および端子板１７２間に連通する電線挿入孔１８ａが形成されており、これら各対の電線挿入孔１８ａ間近傍には解除釦１７４に連通する治具挿入孔１８ｂが形成されている。従って、回動自在にボディ１１に固定されたレンズブロック１上に制御系プリント基板１６および電源系プリント基板１７が位置するようにして、各係合突部１８１を、対応する係合突片１１２ａの係合孔に填め込むと、筒部１１２の開口がカバー１８により閉塞されて、ボディ１１およびカバー１８内に制御系プリント基板１６および電源系プリント基板１７が収納されることになる。また、電線の導体線を電線挿入孔１８ａに挿入すれば、連通先の端子板１７２とこれに弾性接触する鎖錠ばね１７３との間にその導体線が弾性挟持されることとなる。さらに、治具挿入孔１８ｂにマイナスドライバの先端部などを挿入すれば、連通先の解除釦１７４が押されて鎖錠ばね１７３を押接するので、導体線が弾性挟持されている電線の引抜きが可能になる。
【００１６】
このような熱線センサ付自動スイッチを例えば照明システムに使用することにより、壁面のスイッチを操作することなく、照明を自動的にオン／オフさせることが可能となる。
【００１７】
【特許文献１】
特開平１０−２０９８４２号公報
【００１８】
【発明が解決しようとする課題】
しかしながら、上記熱線センサ付自動スイッチに搭載されるレンズブロック１では、ボディ２に対するカバー３の取付位置が一定せず、またボディ２およびカバー３により構成されるハウジング内部におけるレンズの収納位置も一定しないという課題があった。
【００１９】
本発明は、上記事情に鑑みてなされたものであり、ボディおよびカバーの位置決めが可能になるとともに、ボディおよびレンズの位置決めが可能となり、しかもボディへのレンズの逆組み防止が可能となるレンズブロックおよびこれを搭載する熱線センサ付自動スイッチを提供することを目的とする。
【００２０】
【課題を解決するための手段】
上記課題を解決するための請求項１記載の発明のレンズブロックは、有底筒状のボディと、第１開口およびこれよりも小径の第２開口を有する筒状に形成され、前記第１開口のある第１開口縁が前記ボディの開口縁と嵌合するカバーと、ドーム状に形成され、前記カバー内に填り込んでそのカバーの第２開口から極側が突出するレンズと、このレンズ内後方に配置されるセンサとを備えるとともに、前記ボディおよび前記カバーに設けられる位置決め手段と、前記ボディおよび前記レンズに設けられる位置決め逆組み防止手段とを備えることを特徴とする。
【００２１】
請求項２記載の発明は、請求項１記載のレンズブロックにおいて、前記位置決め手段として、前記ボディの側面部外周における当該ボディの開口縁側に突設され、その開口を介して対向配置される一対の凸部と、前記カバーの第１開口縁に形成され、前記一対の凸部側面がそれぞれ填り込む一対の凹部とを備える一方、前記位置決め逆組み防止手段として、前記ボディの側面部における当該ボディの少なくとも開口縁側に形成された切欠部と、前記レンズの開口縁側に形成されて前記切欠部に填り込む突部とを備えることを特徴とする。
【００２２】
請求項３記載の発明は、請求項１または２記載のレンズブロックにおいて、前記カバーの第１開口縁の内周には、前記ボディの開口縁と嵌合するＬ字状の溝が周設されている一方、前記ボディの開口縁の端面中央には、前記レンズの開口縁が嵌入するカム溝が周設されていることを特徴とする。
【００２３】
請求項４記載の発明の熱線センサ付自動スイッチは、請求項１から３のいずれかに記載のレンズブロックを備えることを特徴とする。
【００２４】
【発明の実施の形態】
図１，図２は本発明による一実施形態のレンズブロックの分解斜視図、図３は同レンズブロックの斜視図、図４は同レンズブロックの正面図（ａ）、一の側面図（ｂ）および別の側面図（ｃ）、図５は同レンズブロックの断面図である。
【００２５】
図１〜図５に示すように、本実施形態のレンズブロック１Ａは、例えば、図７に示したレンズブロック１に代えて、同図の熱線センサ付自動スイッチに搭載される熱線センサ格納部であり、検出系プリント基板５を図７のレンズブロック１と同様に備えているほか、レンズブロック１との相違点として、レンズ４Ａと、ボディ２Ａと、カバー３Ａとを備えている。
【００２６】
レンズ４Ａは、広角レンズであり、図２〜図５に示すように、センサ５１が軸上に配置される円筒部４１と、この円筒部４１の前方の開口縁から内向きに延びるつば部４２と、このつば部４２の内周縁から前方に延びるドーム状の集合レンズ部４３とを一体に有する形状に形成され、その集合レンズ部４３によって円筒部４１の前方の開口を閉塞する有底筒状になっている。
【００２７】
集合レンズ部４３は、円筒部４１の軸周りに平面状に周設されるＡレンズ（例えば４分割）と、Ａレンズの外周縁から円筒部４１の軸後方に沿って外向きに傾斜するテーパー面状に周設される例えば１０分割のＢレンズと、Ｂレンズの外周縁から円筒部４１の軸後方に沿って外向きに傾斜するテーパー面状に周設されつば部４２の内周縁に繋がる例えば１６分割のＣレンズとを有する形状に形成されている。そして、Ａレンズ、ＢレンズおよびＣレンズは、例えば、外側が平面状に形成され、内側が凸面状に形成される。
【００２８】
このようにレンズ４Ａを形成することにより、小型でありながら、より広範囲なエリアを検出エリアとすることができる。また、引き締まった外観となり、デザインも良くなる。
【００２９】
ボディ２Ａは、図１〜図５に示すように、例えば樹脂により開口２ａが円状となる有底筒状に形成されてなり、当該ボディ２Ａの側面部２２の外周における開口縁２０側に突設されて、その開口２ａを介して対向配置される一対の凸部２２１，２２１を備えている。これら凸部２２１，２２１は、図では円柱状になっている。
【００３０】
カバー３Ａは、例えば樹脂により、開口３ａおよびこれよりも小径の開口３ｂを有し、開口３ａから開口３ｂにかけて径が小さくなるテーパー構造の筒状に形成されてなり、開口３ａのある開口縁３１がボディ２Ａの開口縁２０と嵌合するようになっている。
【００３１】
このカバー３Ａ内に上記レンズ４Ａが填り込んで、カバー３Ａの開口３ｂからレンズ４Ａの極側が突出し、このレンズ４Ａ内後方に、センサ５１などを搭載する検出系プリント基板５が配置されることになる。
【００３２】
このように構成されるレンズブロック１Ａにおいて、本実施形態の第１の特徴として、ボディ２Ａおよびカバー３Ａと、ボディ２Ａおよびレンズ４Ａとに、それぞれ位置決め手段と、位置決め逆組み防止手段とが設けられている。
【００３３】
位置決め手段として、図１，図２，図４に示すように、一対の凸部２２１，２２１と、カバー３Ａの開口縁３１に形成され、一対の凸部２２１，２２１側面がそれぞれ填り込む一対の凹部３１ａ，３１ａとが具備されている。このような位置決め手段を設けることにより、ボディ２Ａおよびカバー３Ａの位置決めができる。
【００３４】
一方、位置決め逆組み防止手段として、図１に示すように、ボディ２Ａの側面部２２における開口縁２０から当該ボディ２Ａの底部２１にかけて形成された切欠部２２ｂと、レンズ４Ａの開口縁４０側の内面に形成され、切欠部２２ｂに填り込む突部４０１とが具備されている。このような位置決め逆組み防止手段を設けることにより、ボディ２Ａおよびレンズ４Ａの位置決めができ、しかもボディ２Ａへのレンズ４Ａの逆組みを防止することができる。なお、切欠部２２ｂは、検出系プリント基板５のリード線Ｌ１をレンズブロック１Ａ外に引き出す役割も担う。
【００３５】
また、本実施形態の第２の特徴として、図５に示すように、カバー２Ａの開口縁３１の内周には、ボディ２Ａの開口縁２０と嵌合するＬ字状の溝３１ｂが周設されている一方、ボディ２Ａの開口縁２０の端面中央には、レンズ４Ａの開口縁４０が嵌入するカム溝２０ｂが周設されている。
【００３６】
これにより、カバー３Ａおよびレンズ４Ａの隙間や、ボディ２Ａおよびカバー３Ａの隙間などから、ボディ２Ａおよびレンズ４Ａ内に水が侵入するのを防止することができるので、防水性能を向上させることができる。具体的には、カバー３Ａおよびレンズ４Ａの隙間からの侵入は、カム溝２０ｂを挟む開口縁２０の両壁部のうち内壁部と、レンズ４Ａの開口縁４０とが嵌合することにより防止することができる。ボディ２Ａおよびカバー３Ａの隙間からの侵入は、カム溝２０ｂを挟む開口縁２０の両壁部のうち外壁部と、カバー３Ａの溝３１ｂとが嵌合することにより防止することができる。
【００３７】
なお、本実施形態では、ボディ２Ａおよびカバー３Ａに対して、位置決め手段を設ける構成になっているが、位置決め逆組み防止手段を設ける構成にしてもよい。例えば、図６に示すように、一対の凸部２２１，２２１のうちの一方を、凸部２２１’として、その先端側よりも基部側の径を大きくするとともに、その凸部２２１’の側面が填り込むように、一対の凹部３１ａ，３１ａのうちの対応する方を、凹部３１ａ’としてその溝径を大きくすればよい。
【００３８】
【発明の効果】
以上のことから明らかなように、請求項１記載の発明のレンズブロックは、有底筒状のボディと、第１開口およびこれよりも小径の第２開口を有する筒状に形成され、前記第１開口のある第１開口縁が前記ボディの開口縁と嵌合するカバーと、ドーム状に形成され、前記カバー内に填り込んでそのカバーの第２開口から極側が突出するレンズと、このレンズ内後方に配置されるセンサとを備えるとともに、前記ボディおよび前記カバーに設けられる位置決め手段と、前記ボディおよび前記レンズに設けられる位置決め逆組み防止手段とを備えるので、ボディおよびカバーの位置決めが可能になるとともに、ボディおよびレンズの位置決めが可能となり、しかもボディへのレンズの逆組み防止が可能となる。
【００３９】
請求項２記載の発明は、請求項１記載のレンズブロックにおいて、前記位置決め手段として、前記ボディの側面部外周における当該ボディの開口縁側に突設され、その開口を介して対向配置される一対の凸部と、前記カバーの第１開口縁に形成され、前記一対の凸部側面がそれぞれ填り込む一対の凹部とを備える一方、前記位置決め逆組み防止手段として、前記ボディの側面部における当該ボディの少なくとも開口縁側に形成された切欠部と、前記レンズの開口縁側に形成されて前記切欠部に填り込む突部とを備えるので、ボディおよびカバーの位置決めができるとともに、ボディおよびレンズの位置決めができ、しかもボディへのレンズの逆組みを防止することができる。
【００４０】
請求項３記載の発明は、請求項１または２記載のレンズブロックにおいて、前記カバーの第１開口縁の内周には、前記ボディの開口縁と嵌合するＬ字状の溝が周設されている一方、前記ボディの開口縁の端面中央には、前記レンズの開口縁が嵌入するカム溝が周設されているので、カバーおよびレンズの隙間や、ボディおよびカバーの隙間などから、ボディおよびレンズ内に水が侵入するのを防止することができるので、防水性能を向上させることができる。
【００４１】
請求項４記載の発明の熱線センサ付自動スイッチは、請求項１から３のいずれかに記載のレンズブロックを備えるので、レンズブロックのボディおよびカバーの位置決めが可能になるとともに、レンズブロックのボディおよびレンズの位置決めが可能となり、しかもレンズブロックのボディへのレンズの逆組み防止が可能となる。
【図面の簡単な説明】
【図１】本発明による一実施形態のレンズブロックの分解斜視図である。
【図２】同レンズブロックの分解斜視図である。
【図３】同レンズブロックの斜視図である。
【図４】同レンズブロックの正面図（ａ）、一の側面図（ｂ）および別の側面図（ｃ）である。
【図５】同レンズブロックの断面図である。
【図６】レンズブロックのボディおよびカバーに対して、位置決め逆組み防止手段を設けた構成例を示す図である。
【図７】従来の熱線センサ付自動スイッチの分解斜視図である。
【図８】同熱線センサ付自動スイッチに搭載される従来のレンズブロックの分解斜視図である。
【図９】同レンズブロックの斜視図である。
【図１０】同レンズブロックの正面図（ａ）、一の側面図（ｂ）および別の側面図（ｃ）である。
【図１１】同レンズブロックの一部切欠き断面図である。
【符号の説明】
１Ａ  レンズブロック
２Ａ  ボディ
２０ｂ  カム溝
２２ｂ  切欠部
２２１  凸部
３Ａ  カバー
３１ａ  凹部
４Ａ  レンズ
４０１  突部
５  検出系プリント基板
５１  センサ
【図１】
2004259558.tif 000003
【図２】
2004259558.tif 000004
【図３】
2004259558.tif 000005
【図４】
2004259558.tif 000006
【図５】
2004259558.tif 000007
【図６】
2004259558.tif 000008
【図７】
2004259558.tif 000009
【図８】
2004259558.tif 000010
【図９】
2004259558.tif 000011
【図１０】
2004259558.tif 000012
【図１１】
2004259558.tif 000013